(57)【要約】【課題】  毛髪にカールやウェーブを付与するにあたり、熟練技術を要することなく、所望の巻き径を自由に設定して利便性を高めることができるようにする。【解決手段】  渦巻き状に巻回されるシート状基体２に毛髪を巻き付けまたは巻き込んで、該毛髪にカールやウェーブを付与する毛髪カール・ウェーブ付け用シート１であって、シート状基体２に所定の透湿性と剛柔性とを設定する。シート状基体２に多数の小孔３を開設する。シート状基体２と毛髪とを渦巻き状に巻回をした際に、小孔３に係合して巻回状態を保持する多数の線状突起２ａをシート状基体２の一側面に配設する。【選択図】図１
2009050302.tif 000002
【特許請求の範囲】
【請求項１】
渦巻き状に巻回されるシート状基体に毛髪を巻き付けまたは巻き込んで、該毛髪にカールやウェーブを付与する毛髪カール・ウェーブ付け用シートであって、
前記シート状基体に所定の透湿性と剛柔性とを設定し、該シート状基体に多数の小孔を開設するとともに、
シート状基体と毛髪とを渦巻き状に巻回をした際に、前記小孔に係合して巻回状態を保持する多数の線状突起を前記シート状基体の一側面に配設した
ことを特徴とする毛髪カール・ウェーブ付け用シート。
【請求項２】
前記シート状基体は、巻き込み方向の剛柔性が、これと直交する幅方向の剛柔性よりも小さい
ことを特徴とする請求項１に記載の毛髪カール・ウェーブ付け用シート。
【請求項３】
前記シート状基体は、巻き込み方向の形状復元率が、これと直交する幅方向の形状復元率より高い
ことを特徴とする請求項１または２に記載の毛髪カール・ウェーブ付け用シート。
【請求項４】
前記請求項１〜３のいずれかに記載の毛髪カール付け用シートを用いて毛髪にカールやウェーブを付与する方法であって、
前記線状突起を配設した一側面側を外側にして前記シート状基体を渦巻き状に巻回し、
このシート状基体の巻回時に前記毛髪を巻き付けまたは巻き込んで、この巻回状態を前記線状突起と前記小孔との係合にて保持し、
前記シート状基体に巻き込んだ前記毛髪にパーマネントウェーブ用剤を塗布及び／または加熱により毛髪にカールやウェーブを付ける
ことを特徴とする毛髪カール・ウェーブ付け用シートの使用方法。 
【発明の詳細な説明】
【技術分野】
【０００１】
本発明は、毛髪にカールやウェーブを付与するにあたり、所望のカール径やウェーブ長を自在で且つ簡便に付与することのできる毛髪カール・ウェーブ付け用シート及びその使用方法に関する。
【背景技術】
【０００２】
毛髪にカールやウェーブを付与する場合には、毛髪を所定の直径のロッドに専用のペーパを使って巻き込んだのち、パーマネントウェーブ用剤の塗布，放置，口ッドの取り外し，洗浄，乾燥等の工程が行われる。
しかし、一般に市販されている口ッドは直径が決まっており、所望のカールやウェーブと口ッドの直径とが一致しない場合には、一番近い口ッドを用いて毛髪を巻き込むテンション，使用するパーマネントウェーブ用剤，該パーマネントウェーブ用剤を塗布してからの放置時間を変えて調整している現状がある。
【０００３】
また、市販のロッドは直径が決まっているので、毛髪に多種類のウェーブやカールを付与する場合には、それに応じた多種類の口ッドを用意しなければならないという煩わしさがある。
さらに、毛髪を口ッドに巻き込む時に毛先が折れやすいことから、折れないように巻き込む必要があり、その上所望のカールやウェーブと口ッドの直径とが一致しない場合に、一番近い直径の口ッドを用いて毛髪を巻き込むテンション、使用する薬剤、薬剤の放置時間を変える調整には、かなりの熟練を必要としていた。また、口ッドに巻き込んだ毛髪の固定には輪ゴムを用いるが、この輪ゴムで毛髪に跡がつくという問題もある。
【０００４】
このような従来品の不具合を解消するために、口ッドを使用しない方法として、一端の開口部から他端の開口部に向けて毛髪束を挿通可能にした筒状体シートで構成された扇平状の筒状体に毛髪を挿通して、所定の巻径で巻回状態に固定するために、筒状体シートの表裏面に取り付けたメカニカルファスナを係合させる毛髪保持具が提案されている（例えば、特許文献１参照）。
【０００５】
さらに、基体の一方の面に多数の雄型係合素子を有し、他方の面に多数のループ状の雌型係合素子を有する両面面ファスナのテープを、雌型係合素子を有する面を内側にして捲き、雄型係合素子と雌型係合素子を係合させた円筒状物に毛髪を捲いたへアーカーラも知られている（例えば、特許文献２参照）。
【特許文献１】特開２００４−２０９２３７号
【特許文献２】実開平５−６８４０２号
【発明の開示】
【発明が解決しようとする課題】
【０００６】
しかしながら、特許文献１の毛髪保持具は、両端に開口部がある円筒状シートに毛髪束を偏りがなく均一に挿通させることは手間であり、また所定の巻径で捲き込むには、雌型のメカニカルファスナの配置間隔を狭くして、数多く取り付けることが必要となるが、それによりシートの厚みが増して所望のカール径を得るのが困難であり、さらにこの毛髪保持具の使用方法は、毛髪を捲き込んでいくものであり、従来の方法と同様に毛先の折れがある。
【０００７】
また、特許文献２のへアーカーラは、毛髪を巻いたままでの就寝時の不快感の解消を目的としており、毛髪を巻いた後にパーマネントウェーブ用剤などの塗布による形状の付与は想定しておらず、要求されるへアーカーラの硬さや形状保持性については言及されていない。
さらに基体の一方の面には雌型係合素子を有し、他方の面には雌型係合素子を有しているので、厚みがあるために所望のカール径に応じた巻き直径で基体を巻き込むことが困難である。
【０００８】
本発明は、かかる実情を背景にしてなされたもので、その目的とするところは、熟練技術を要することなく所望の巻き径を自由に設定して利便性を高めることのできる毛髪カール・ウェーブ付け用シートとその使用方法を提供することにある。
【課題を解決するための手段】
【０００９】
これらの課題に鑑み、本発明は、以下に示す構成と方法により問題の解決を図った。
すなわち、本発明の構成は、渦巻き状に巻回されるシート状基体に、毛髪を外側に巻き付けたりまたは一緒に巻き込んで、この毛髪にカールやウェーブを付与する毛髪カール・ウェーブ付け用シートであって、前記シート状基体に所定の透湿性と剛柔性とを設定し、該シート状基体に多数の小孔を開設するとともに、シート状基体と毛髪とを渦巻き状に巻回をした際に、前記小孔に係合して巻回状態を保持する多数の線状突起をシート状基体の一側面に配設したことを特徴としている。
【００１０】
前記シート状基体は、巻き込み方向の剛柔性が、これと直交する幅方向の剛柔性よりも小さいことが好ましい。さらに前記シート状基体は、巻き込み方向の形状復元率が、これと直交する幅方向の形状復元率より高いことが好ましい。
また、本発明の方法は、前記請求項１〜３のいずれかに記載の毛髪カール付け用シートを用いて毛髪にカールやウェーブを付与する方法であって、前記線状突起を配設した一側面側を外側にして前記シート状基体を渦巻き状に巻回し、このシート状基体の巻回時に、前記毛髪をシート状基体の外側に巻き付けするか、もしくはシート状基体と一体に巻き込んで、この巻回状態を前記線状突起と前記小孔との係合にて保持し、前記シート状基体に巻き込んだ前記毛髪にパーマネントウェーブ用剤を塗布及び／または加熱により毛髪にカールやウェーブを付けることを特徴としている。
【発明の効果】
【００１１】
本発明の毛髪カール・ウェーブ付け用シートによれば、所望形状のウェーブやカールに応じた巻き径を自由に設定することができるので、直径の異なる多種類のロッドを用意する必要のあった従来品に較べて利便性が高く、しかも熟練技術も要しないで済む。また、シート状基体と毛髪との巻回状態を、多数の線状突起と小孔との係合によって保持するので、毛髪に輪ゴム跡がつくといった不具合はない。
さらに、特許文献１，２の毛髪保持具やへアーカーラに較べて、所望のウェーブやカールを簡便に得ることができ、しかも構造が極めて単純であるがために、製造コストが軽微であるばかりか、毛髪の巻き込みに厚みを取らないので作業性にも優れており、所望形状のウェーブやカールが得られやすい。
【００１２】
また、シート状基体を渦巻き状に巻回した際には、多数の線状突起が小孔のそれぞれ入り込んで小孔内の空間を埋める線状突起の投錨効果により、巻き込み後のシート状基体が硬くなるため、シート状基体の巻き形状を保持する能力が向上し、これに毛髪を巻き付けても形が崩れたり、歪んだりすることがない。
さらに、シート状基体の一側面に位置する線状突起は、シート状基体に毛髪を巻き付ける際に毛髪が線状突起に引っ掛り易くなるので、巻き付け作業と固定作業とが簡単に行える。しかも、毛髪と線状突起との引っ掛りによって毛髪の動きが抑制されるで、従来のもののように、ロッドに毛髪を係止するために毛髪の毛先を折って口ッドに絡ませる必要がない。したがって、熟練技術がなくとも簡単に毛先を折ることなくカールを付与することができる。
【００１３】
また、シート状基体の巻き込み方向の剛柔性を、これと直交する幅方向の剛柔性よりも小さくすることにより、所望の巻き径を一層容易に得ることができるようになる。加えて、シート状基体の巻き込み方向の形状復元率を、これと直交する幅方向よりも大きくすることにより、シート状基体を巻き込む方向の形状復元時の歪みが発生しても幅方向で吸収できるので、シート状基体に特定の巻きグセが着きにくくなり、繰り返しの使用にもよく堪える。
【発明を実施するための最良の形態】
【００１４】
以下、本発明の毛髪用カール・ウェーブ付け用シートの一実施例を、図面に基づいて説明する。
図１〜図４に示すように、毛髪用カール・ウェーブ付け用シート１は、所定長さの帯状に切断された合成樹脂製のシート状基体２に、両側部を残して多数の小孔３が縦横に整列して穿設されており、この小孔３と両側部を除くシート状基体２の一側面Ｃの格子状部分に多数の線状突起２ａが設けられている。
【００１５】
シート状基体２は、適度の透湿度を有することが適当であり、ＪＩＳＺ０２０８で２０００ｇ／ｍ２・２４ｈ以上であると、シート状基体２に毛髪１０を巻き付けまたは巻き込んだ状態でパーマネントウェーブ用剤の塗布あるいはスチームを噴霧してもこれらを毛髪１０に均一に行き渡たらせることができるので好ましい。
また、シート状基体２３の厚さは０．３〜０．８ｍｍの範囲が好ましく、０．３ｍｍ未満では、所定の巻き直径に巻き込むことは容易であるが、そこに毛髪１０を巻き付けまたは巻き込んだ時の毛髪１０の重量やテンションによって形状が保持しにくくなる可能性がある。
一方、０．８ｍｍ以上では、シート状基体２を所定の巻き直径に巻き込むことが困難になること、そしてシート状基体２が厚い分だけ巻き込む力が必要になるので、形状を保持するためにはその力に見合う係止力が必要となり、巻回した際の小孔３に線状突起２ａを挿通させるだけの係止力では形状保持ができにくいものとなる。
【００１６】
小孔３の大きさ（面積）は、０．０４〜０．１６ｍｍ２程度で、その数は７〜１２個／ｃｍ２の範囲が好ましく、また孔形状としては、正方形や長方形，円形や楕円形その他任意の形状のいずれでもよい。
小孔３の大きさが０．０４ｍｍ２未満であると、シート状基体２を渦巻き状に巻き込んだ際に線状突起２ａがこの小孔３に入らないために、巻き込んだシート状基体２の強度不足により、これに毛髪１０を巻き付けたり巻き込むと歪みが発生し易くなること、線状突起２ａが小孔３に入らないために線状突起２ａの長さ分だけシート状基体２に厚みが出て所定の巻き直径巻き込むことが困難となる。
一方、小孔３の大きさが０．１６ｍｍ２以上では、シート状基体２を渦巻き状に巻き込んだ際に小孔３内に入り込んだ線状突起２ａが小孔３に引っ掛からないために投錨効果が生じず、巻き込んだシート状基体２の形状保持性が低下する。さらに、シート状基体２に巻き付けまたは巻き込んだ毛髪１０に小孔３の跡が付いてしまい、所定のカールやウェーブが付きにくいものとなる。
【００１７】
シート状基体２の一側面Ｃに配列される線状突起２ａは、シート状基体２を渦巻き状に巻回した際に、全ての小孔３に線状突起２ａが挿通するよう小孔３の数の２〜３倍に相当する２０〜３０本／ｃｍ２程度とすることにより、渦巻き状に巻回したシート状基体２が硬く締まり、シート状基体２に毛髪１０を巻き付けまたは巻き込んだ場合にも歪みが発生しにくくなって、形状保持性が向上するので好ましい。さらに、線状突起２ａを規則正しく配列しておくことにより、毛髪１０を線状突起２ａに引っ掛けて係止する際に、毛髪１０が曲がらずに真っ直ぐに巻き付けまたは巻き込むことができるので好適である。
【００１８】
線状突起２ａの本数が２０本／ｃｍ２未満では、毛髪１０を巻き付けまたは巻き込むと歪みが発生して形状保持性が低下すること、毛髪１０をシート状基体２に巻き付けまたき巻き込む時に線状突起２ａに引っ掛かりにくくなり、たとえ引っ掛かってもその係合力は弱く、安定した巻き付けや巻き込み固定ができなくなる。
一方、線状突起２ａの本数が３０本／ｃｍ２以上になると、シート状基体２を巻回した際に小孔３から沢山の線状突起２ａが飛び出し、シート状基体２表面の線状突起２ａの数が増えてシート状基体２間の隙間が少なくなり、毛髪１０が引っ掛り難くなってシート状基体２の固定がしにくくなる。
【００１９】
また、線状突起２ａの長さは、シート状基体２を所定の巻き直径に巻き込み易く、さらに毛髪１０の引っ掛りを考慮すると１〜３ｍｍの範囲が好ましい。
線状突起２ａの長さがｌｍｍ未満であると、シート状基体２を巻回した際に線状突起２ａが小孔３に通らなくなって投錨効果が生じず、巻回形状の保持が困難になること、また巻き込んだシート状基体２表面の線状突起２ａに毛髪１０が引っ掛り難くなって毛髪１０が固定できなくなる。
一方、線状突起２ａが３ｍｍ以上であると、シート状基体２を巻回した際に、小孔３に挿通した線状突起２ａがシート状基体２の反対側面から飛び出し、飛び出した線状突起２ａ同士でシート状基体２の反対側面での隙間が少なくなり、毛髪１０引っ掛りにくくなると同時にシート状基体２の巻回状態を保持するのが困難となる。
【００２０】
線状突起２ａの太さは、シート状基体２を渦巻き状に巻回した際の形状保持性の観点から０．１〜０．３ｍｍの範囲が好ましい。
線状突起２ａの太さが０．ｌｍｍ未満であると、線状突起２ａの硬さが減少するので、シート状基体２を巻回した際に小孔３に挿通した線状突起２ａが倒れてアンカー効果が充分に発揮されないこと、また巻き込んだシート状基体２表面の線状突起２ａに引っ掛けた毛髪１０が動き易くなって確実な固定が困難となる。
一方、線状突起２ａの太さが０．３ｍｍ以上では、線状突起２ａが小孔３よりも大きくなって小孔３を通すことができず、投錨効果が得られずに巻き込んだシート状基体２の形状保持性が劣ってしまうこと、また巻き込んだシート状基体２表面の線状突起２ａに引っ掛けた毛髪１０に線状突起２ａの跡がついてしまい、所望のカールやウェーブが得られなくなる。
【００２１】
さらに、線状突起２ａの形状は、先端を若干曲げるかあるいは折り返した釣針状が好ましく、例えば突起頭頂部が突起軸部よりも面積が大きい茸形などは、シート状基体２を巻回した際に、小孔３に挿通した線状突起２ａの引っ掛かる度合いが大きくなるため、高い係合力が生じて巻き込んだ形状の保持性は有効であるが、巻き込んだシート状基体２を元に戻す場合に取り外しが困難になって手間が掛かること、無理に取り外そうとすると破損したり、歪みが発生して繰り返しの使用ができなくなる。
【００２２】
前記シート状基体２は、長手方向である巻き込み方向Ａと、これに直交する幅方向Ｂとの剛柔性の比率が１：１．４〜１．８の範囲で、幅方向の剛柔性が巻き込み方向よりも高いことが好ましい。
幅方向Ｂの剛柔性を、巻き込み方向Ａと同等ないしはこれ以下にすると、シート状基体２を巻き込んでいくと巻き込む方向の硬さが増して幅方向が折れ易くなり、従来の口ッドの代替えの役割を果たさなくなる。
【００２３】
また、線状突起２ａを配設したシート状基体２の一側面Ｃ側と、線状突起２ａを設けないシート状基体２の他側面Ｄ側との剛柔性を、１：１．４〜１．８の範囲に設定することが好ましい。シート状基体２の一側面Ｃ側を他側面Ｄ側よりも剛柔性を低くすることで、線状突起２ａを表側（外側）にしてシート状基体２を巻き込むさいの巻き込みが容易となり、さらに裏側（内側）が反り返るクセが付きにくくなって、繰り返しの使用にもよく堪えるようになる。
【００２４】
さらに、シート状基体２に一定の負荷を与えた後のシート状基体２の形状復元率が６０％以上で、且つ巻き込む方向Ａと幅方向Ｂとの比率が１〜１．２：１の範囲とすることが好ましい。シート状基体２の巻き込み方向Ａは、ほぼ１００％の形状復元率がよいが、１００％の形状復元率を実現する素材や構成をとることは困難であるため、幅方向Ｂの形状復元率を低くすることでシート状基体２の巻き込み方向Ａの形状復元時の歪みを吸収（緩和）するので、特定のクセが付き難く、繰り返しの使用が可能になる。
【００２５】
次に、本実施例のシート状基体２を使用した毛髪１０のカール付けの手順について説明する。
まず、図３に示すように、線状突起２ａの配列側面であるシート状基体２の一側面側を外側にして、所定の巻き直径となるようにシート状基体２の一端側から渦巻き状に巻き込んで略円筒状を成形する。
【００２６】
図５，図６では、渦巻き状に巻回した円筒状シート状基体２の最外周に位置する他端部を下側に位置させて、円筒状シート状基体２の幅方向に毛髪１０を巻き付ける。そして、円筒状シート状基体２に巻き付けた毛髪１０の全体にパーマネントウェーブ用剤を塗布して所定時間放置し、あるいは必要に応じて適宜加熱したのち、円筒状シート状基体２を毛髪１０から取り外して、毛髪１０のシャンプーと乾燥を行う。
【００２７】
または、図７に示すように、線状突起２ａの配列側面であるシート状基体２の一側面Ｃに毛髪１０を載せ、該毛髪１０を線状突起２ａに引っ掛けて係止したのち、図８のように、毛髪１０の毛先側から毛髪１０とシート状基体２とが外側となるように、該シート状基体２と毛髪１０とをシート状基体２の他端まで渦巻き状に一体に巻き込んで所定の巻き直径とする。
図４は、シート状基体２と毛髪１０とを渦巻き状に一体に巻き込んだ上記図７，８の一部拡大断面図で、シート状基体２の線状突起２ａが小孔３を通って、該小孔３やシート状基体２内外の毛髪１０に引っ掛かった様子を示している。
そして、円筒状シート状基体２に巻き付けた毛髪１０全体に、上記図５，６の場合と同様パーマネントウェーブ用剤を塗布して所定時間放置し、あるいは必要に応じて適宜加熱したのち、円筒状シート状基体２を毛髪１０から取り外して、毛髪１０のシャンプーと乾燥を行う方法をとることもできる。
【００２８】
なお、図９，図１０に示すように、従来のロッド２０を使用するものでは、輪ゴム２１などで固定するが、本実施例のシート状基体２では、一側面に配列した線状突起２ａによって、毛髪１０と線状突起２ａや線状突起２ａ同士が引っ掛り、その係合力で固定されるので、特に輪ゴムなの固定具は必要としない。
【００２９】
（実験例）
次に、本実施例に基づいて行った各種実験例を説明する。
実験例の毛髪１０のカール付与に使用するシート状基体２の条件並びに性能は、以下に示す通りである。
（１）シート状基体２のサイズ：長さ…２０ｃｍ，幅…７ｃｍ，厚さ…０．４ｍｍ
（２）シート状基体２の素材：シート状基体２，線状突起２ａとも：ナイ口ン６．６
（３）シート状基体２の透湿度：２，６２３９／ｍ２・２４ｈ（ＪＩＳＺ０２０８：力ップ法）
（４）線状突起２ａのサイズ，形状：長さ…２ｍｍ，太さ…０．１５ｍｍ，形状…鈎形
（５）線状突起２ａの配置数：２４本／ｃｍ２
（６）小孔３のサイズ，形状…０．０８ｍｍ２，数…９個／ｃｍ２，形状…四角形
【００３０】
シート状基体２の剛柔性能：図１１，図１２に示すように、長さ７ｃｍ×幅１．５ｃｍのシート状基体２を、一端から長さ方向に３．５ｃｍの位置までを垂直の台３０の端部に両面テープ３１で固定して、他端に負荷３２を掛けてシート状基体２の一側面Ｃが９０°撓む時の荷重を測定した。
図１３では、図１１，図１２と同じ装置でシート状基体２の他側面Ｄが９０°撓む時の荷重を測定した。表１は、このようにして行ったシート状基体２の剛柔性能の結果を示す。
【００３１】
【表１】
2009050302.tif 000003
【００３２】
シート状基体２の形状復元性能：図１４（ａ）（ｂ）の模式図に示すように、長さ７ｃｍ×幅１．５ｃｍのシート状基体２の長手方向の両端部近傍を重ね合わせ、略楕円形のシート状基体２の高さＨ１を測定し、上記剛柔性と同様の負荷３２を掛けて５分間放置したのちにこれを取り除き、１分間放置してシート状基体２の一側面Ｄの略楕円形の高さを測定したもので、この形状復元測定は、図１４（ｃ）に示すシート状基体２の一側面Ｃを外側にした場合と、図１４（ｄ）に示すシート状基体２の他側面Ｄを外側にした場合と２通りを行い、それぞれの略楕円形の高さＨ２を測定した。表２は、このようにして行ったシート状基体２の形状復元性能の結果を示す。
【００３３】
【表２】
2009050302.tif 000004
【００３４】
上記の条件と性能を持つシート状基体２を用いて以下の実験を行った。
（実験例１）
カール付与手順）
・線状突起２ａを配列した一側面Ｃ側が外側となるようにシート状基体２を巻き込んで、直径２５ｍｍの円筒状にする。
・上記円筒状シート状基体２の外側に毛髪１０を巻き付けたのち、毛髪１０にウエラジャパン製のスタイルフオームへアコント口ールＦＢの１液を塗布して１０分間自然放置したのち、さらに２液を塗布して１０分間自然放置し、毛髪１０をシート状基体２から取り外して、シャンプー及び乾燥をした。
【００３５】
（実験例２）
カール付与手順）
・毛髪１０を、線状突起２ａの配列側面であるシート状基体２の一側面Ｃ側の上に載せて、毛髪１０を線状突起２ａに引っ掛けて係合させて固定する。
・シート状基体２の一端を起点として線状突起２ａが外側を向くようにシート状基体２と線状突起２ａに係合した毛髪１０とを一緒に渦巻き状に巻き込んで、直径２５ｍｍの円筒状に固定する。
・ウエラジャパン製のスタイルフオームへアコント口ールＦＢの１液を塗布して１０分間自然放置し、さらに２液を塗布して１０分間自然放置したのち、毛髪１０をシート状基体２から取り外して、シャンプー及び乾燥をした。
【００３６】
（比較例）
実験例と同様に直径２５ｍｍのロッド２０を用いて毛髪１０を巻き付けた以外は、実験例と同様のパーマネントウェーブ用剤を使用してカールを付与した。
（結果）
パーマネントウェーブ用剤によるカールの付与後及びシャンプー１０回繰り返し後のカール径を表３に示す。
【００３７】
【表３】
2009050302.tif 000005
【００３８】
実験例，比較例ともにカールの掛かり具合と保持性にさほど差はなかったが、実験例１，２のカールには、比較例のような歪みやヨレは見られなかった。
【００３９】
なお、上述の実施例や実験例では、シート状基体２の両側部に小孔３を設けない部分を残したもので説明したが、本発明はシート状基体の全体に小孔を設けてもよい。また、一側面側の線状突起は、シート状基体を渦巻き状に巻回した際に小孔に係合して巻回状態を保持すればよく、小孔と線状突起のレイアウトや形状は適宜変更可能である。さらに、シート状基体を巻回する場合に、線状突起を設けた一側面側を外側にするのが一般的であるが、本発明はこの一側面を内側にしてシート状基体を巻回することも妨げない。
【図面の簡単な説明】
【００４０】
【図１】本発明の一実施例を示す毛髪カール・ウェーブ付け用シート状基体の拡大断面図である。
【図２】本発明の一実施例を示す毛髪カール・ウェーブ付け用シート状基体の一部拡大断面図である。
【図３】本発明の一実施例を示す毛髪カール・ウェーブ付け用シート状基体を巻回した状態の斜視図である。
【図４】本発明の一実施例を示す毛髪カール・ウェーブ付け用シート状基体を巻回した状態の一部拡大断面図である。
【図５】本発明の一実施例を示す巻回した毛髪カール・ウェーブ付け用シート状基体に毛髪を巻き付けた状態の側面図である。
【図６】図５の正面図である。
【図７】本発明の一実施例を示す突起上面に係止した毛髪と毛髪カール・ウェーブ付け用シート状基体とを一体に巻回した状態の正面図である。
【図８】図７の側面図である。
【図９】従来の口ッドに毛髪を巻き付けた状態の側面図である。
【図１０】従来の口ッドに毛髪を巻き付けた状態の正面図である。
【図１１】剛柔性の測定状態を示す断面図である。
【図１２】剛柔性の測定において線状突起を上向きにして９０°の撓み負荷を掛けた状態の断面図である。
【図１３】剛柔性の測定において線状突起を下向きにして９０°の撓み負荷を掛けた状態の断面図である。
【図１４】（ａ）は形状復元率の測定において使用する毛髪カール・ウェーブ付け用シート状基体の長手方向の両端部近傍を重ね合わせた状態の模式図、（ｂ）は形状復元率の測定において使用する毛髪カール・ウェーブ付け用シート状基体に負荷を掛けた状態の模式図、（ｃ）は形状復元率の測定において使用する毛髪カール・ウェーブ付け用シート状基体の突起を外側にした状態の側面図、（ｄ）は形状復元率の測定において使用する毛髪カール・ウェーブ付け用シート状基体の突起を内側にした状態の断面図である。
【符号の説明】
【００４１】
１…毛髪用カール・ウェーブ付け用シート
２…シート状基体
２ａ…線状突起
３…小孔
Ａ…シート状基体２の巻き込み方向（シート状基体２の長さ方向）
Ｂ…巻き込み方向Ａと直交するシート状基体２の幅方向
Ｃ…シート状基体２の一側面
Ｄ…シート状基体２の他側面
１０…毛髪５
２０…ロッド
２１…輪ゴム
３０…台
３１…両面テープ
３２…負荷
【図１】
2009050302.tif 000006
【図２】
2009050302.tif 000007
【図３】
2009050302.tif 000008
【図４】
2009050302.tif 000009
【図５】
2009050302.tif 000010
【図６】
2009050302.tif 000011
【図７】
2009050302.tif 000012
【図８】
2009050302.tif 000013
【図９】
2009050302.tif 000014
【図１０】
2009050302.tif 000015
【図１１】
2009050302.tif 000016
【図１２】
2009050302.tif 000017
【図１３】
2009050302.tif 000018
【図１４】
2009050302.tif 000019